(57)【要約】【課題】扁平型の撮像装置でありながら、発光部とＥＶＦおよび背面液晶を搭載させた小型の撮像装置を提供することを目的とする。【解決手段】撮影光学系（２）と、撮影光学系（２）によって結像された画像を取得する撮像部と、撮像部が取得した画像を表示する電子式ビューファインダ（１００）と、同じく撮像部が取得した画像を表示すると共に、撮像装置本体に対して回転自在に軸支された可動式背面表示ユニット（１２０）を備える撮像装置において、前記可動式背面表示ユニット（１２０）を撮像装置本体に収納した状態から回転させると、電子式ビューファインダ（１００）接眼部の一部が外部に露呈することを特徴とする。【選択図】図１(a)
2017003630.tif 000002
【特許請求の範囲】
【請求項１】
撮影光学系（２）と、撮影光学系（２）によって結像された画像を取得する撮像部と、撮像部が取得した画像を表示する電子式ビューファインダ（１００）と、同じく撮像部が取得した画像を表示すると共に、撮像装置本体に対して回転自在に軸支された可動式背面表示ユニット（１２０）を備える撮像装置において、前記可動式背面表示ユニット（１２０）を撮像装置本体に収納した状態から回転させると、電子式ビューファインダ（１００）接眼部の一部が外部に露呈することを特徴とする撮像装置。
【請求項２】
前記撮像装置は、可動式背面表示ユニット（１２０）裏側に凹部（１２２）が設けられ、可動式背面表示ユニット（１２０）が、撮像装置本体内に収納された時、電子式ビューファインダ（１００）のアイピース（２３）の一部が入り込むことを特徴とする請求項１に記載の撮像装置。
【請求項３】
前記撮像装置の電子式ビューファインダ（１００）は、内蔵式のストロボユニット（１０３）の下側に配置されることを請求項１又は請求項２に記載の撮像装置。
【請求項４】
前記撮像装置の電子式ビューファインダ（１００）の表示の中心は、撮影光学系（１０２）の光軸と高さ方向の位置が、同一で隣接して配置されていることを特徴とする請求項１乃至請求項３の何れか一項に記載の撮像装置。
【請求項５】
前記撮像装置は、可動式背面表示ユニット（１２０）の位置を検出するによって、電子式ビューファインダ（１００）の近接センサのＯＮ/ＯＦＦを切り替えることを特徴とする請求項１乃至請求項４の何れか一項に記載の撮像装置。
【発明の詳細な説明】
【技術分野】
【０００１】
本発明は、光学機器における表示装置に関し、特にカメラの電子式ビューファインダ装置を搭載したデジタルスチルカメラやビデオカメラなどに関する。
【背景技術】
【０００２】
従来、デジタルスチルカメラやビデオカメラ（以下、撮像装置と記載する。）など光学機器の多くに、電子式のビューファインダ装置（以下、ＥＶＦと記載する。）が採用されてきた。ＥＶＦは、レンズから入った光をＣＣＤやＣＭＯＳなどの撮像素子で捕らえて画像データに変換し、ファインダ内のＬＣＤパネルや有機ＥＬパネル等の画像表示面に表示するものである。視野率がほぼ１００％で、撮影する画像そのものが見え、撮像装置の背面液晶では視認性の低い太陽光下の明るい屋外などでも容易に画像を確認でき、省エネルギーであるため多くの機種に採用されている。
【０００３】
しかし、撮像装置は、小型化の要求が急速に進んでいることに対して、ＥＶＦは、ファインダ内のＬＣＤパネルや有機ＥＬパネル等の画像表示面、複数からなる光学レンズ、近視や遠視、老眼等の人でも被写体やファインダ内の表示の見え方が調整出来るよう視度調正機構等を備える必要があることから、比較的大型の撮像装置に搭載されてきた。近年、撮像装置は、いかに、ＥＶＦを撮像装置に搭載しながら小型化していくことが、デザイン的にも有効性を持たせる重要なテーマとなってきている。
【０００４】
そこで、特許文献１で開示されているように、撮像装置ボディと前記撮像装置ボディに設けられた撮像光学系と前記撮像光学系によって結像された画像を取得する撮像部と、前記撮像装置ボディの被写体側の外周端部に設けられた回転中心部周りに回転し、前記回転中心部よりも前記撮像光学系側に設けられた収納位置と、前記回転中心部に対して前記撮像光学系の反対側に設けられた発光位置との間を移動する発光部と、前記撮像装置ボディを前記撮像光学系の光軸方向から見たときに、その少なくとも一部が前記発光部の前記収納位置と重なった箇所に配置され、前記撮像部が取得した画像を表示するファインダユニット部を備える撮像装置が公知とされている。これにより、発光部の収納位置とファインダユニット部を重ねた配置とすることで、撮像装置外形をコンパクトにすることが出来るとされている。
【先行技術文献】
【特許文献】
【０００５】
【特許文献１】特開２００６−１０７９８号公報
【発明の概要】
【発明が解決しようとする課題】
【０００６】
しかしながら、特許文献１に記載の構成では、発光部およびファインダユニット部は共に、扁平型の撮像装置から突出した状態で取り付けることによって、撮像光学系の光軸方向から見たときに重ねた配置とすることが出来るようになっており、突出した発光部およびファインダユニット部が、デザインに制約を与え小型化を困難とさせていた。
【０００７】
そこで、本発明は、扁平型の撮像装置でありながら、発光部とＥＶＦおよび背面液晶を搭載させた撮像装置を提供することを目的とする。
【課題を解決するための手段】
【０００８】
上記の目的を達成するために、本発明の撮像装置は、撮影光学系と、撮影光学系によって結像された画像を取得する撮像部と、撮像部が取得した画像を表示する電子式ビューファインダと、同じく撮像部が取得した画像を表示すると共に、撮像装置本体に対して回転自在に軸支された可動式背面表示ユニットを備える撮像装置において、前記可動式背面表示ユニットを撮像装置本体に収納した状態から回転させると、電子式ビューファインダ接眼部の一部が外部に露呈することを特徴とする。
【発明の効果】
【０００９】
本発明によれば、扁平型の撮像装置でありながら、突出部を設けることなく、電子式ビューファインダを配設することで、大幅に小型化すると共に、デザイン性を向上させることが出来る。また、可動式背面表示ユニットの位置状態を検出することにより、電子式ビューファインダ表示状態において、可動式背面表示ユニット回動状態と、視線入力状態に応じて、表示／非表示を切り替えることが可能となり、省電力に寄与した撮像装置を提供することが可能となる。
【図面の簡単な説明】
【００１０】
【図１（ａ）】本発明の第１実施形態に係る撮像装置の一例であるデジタルカメラの正面側斜視図
【図１（ｂ）】本発明の第１実施形態に係る撮像装置の一例である背面側斜視図
【図１（ｃ）】本発明の第１実施形態に係る撮像装置の一例である背面側斜視図
【図２】図１のデジタルカメラの分解斜視図
【図３（ａ）】図１のデジタルカメラが備える電子式ビューファインダ装置の背面側斜視図
【図３（ｂ）】図１のデジタルカメラが備える電子式ビューファインダ装置の分解斜視図
【図４（ａ）】図１のデジタルカメラが備える電子式ビューファインダ装置の背面図
【図４（ｂ）】図１のデジタルカメラが備える電子式ビューファインダ装置のＳ１−Ｓ１断面図
【図４（ｃ）】図１のデジタルカメラが備える電子式ビューファインダ装置のＳ２−Ｓ２断面図
【図４（ｄ）】図１のデジタルカメラが備える電子式ビューファインダ装置のＳ３−Ｓ３断面図
【発明を実施するための形態】
【００１１】
以下に、本発明の好ましい実施の形態を、添付の図面に従って詳細に説明する。各図面を通して同一符号は、同一または対応部分を示すものである。また、請求項に記載の構成部品を用いる限りは、本実施形態の構成のみに限定するものではなく、その要旨の範囲内で種々の変形及び変更が可能である。
【００１２】
図１（ａ）は本発明の実施形態に係る撮像装置１０１の正面側斜視図である。また、図１（ｂ）・図１（ｃ）は撮像装置１０１の背面側斜視図である。これより以下は、図１における左右方向つまり水平方向をｘ、上下方向つまり鉛直方向をｙ、電子式のビューファインダ装置（以下、ＥＶＦと記載する。）の光軸方向つまり撮像装置本体の厚み方向をｚとし、ｚ方向における被写体側を正面側、撮影者側を背面側として説明する。
【００１３】
撮像装置本体１０１の正面には、被写体の光学像を撮像素子（不図示）に結像する複数のレンズ群や絞り（不図示）等からなる撮影光学系である鏡筒ユニット１０２が配置されている。
【００１４】
なお、鏡筒ユニット１０２は沈胴式のズームレンズであり、図１には、撮像装置１０１が不使用時（電源オフ時）にあって、鏡筒ユニット１０２は、撮像装置本体１０１に沈胴し、被写体側のレンズはレンズバリアによって保護された状態が示されている。鏡筒ユニット１０２は、撮影可能状態（電源オン状態）には、撮像装置本体１０１から繰り出した状態となる。
【００１５】
撮像装置本体１０１の内部において鏡筒ユニット１０２の後方には、被写体の光学像を光電変換して画像データを生成するＣＣＤセンサやＣＭＯＳセンサ等のイメージセンサ、即ち、撮像素子（不図示）が実装されている。また、撮像装置本体１０１の内部には、撮像素子で生成した画像データをデジタル情報に変換する処理回路を搭載した主基板（不図示）や補助基板（不図示）等が実装されている。主基板には、カードＩ／Ｆ等を含む記録媒体スロットや撮像部、画像処理部、システム制御部、液晶表示制御部、シリアルＩ／Ｆ、シリアル接続端子等が実装されている。補助基板には、電源供給切換回路、ＤＣ／ＤＣコンバータ、操作スイッチ、ビデオＩ／Ｆ、ビデオ接続端子、外部電源入力端子等が実装されている。
【００１６】
撮像装置本体１０１の正面側から見て右上方には、撮影時に被写体の明るさが不足しているときにポップアップして発光窓を露出させ、発光する内蔵式のポップアップストロボ１０３が設けられている。一方、撮像装置本体１０１の正面側から見て左側の上面には、レリーズボタン１０４が配置されている。レリーズボタン１０４は、２段階（半押し、全押し）の押圧操作が可能であり、半押し操作により測光動作や測距動作等の撮影準備動作が開始され、全押し操作により撮影が行われて、被写体像が記録媒体（不図示）に画像データとして記憶される。
【００１７】
レリーズボタン１０４の外周には、回転操作型のズームレバー１０５が設けられている。ズームレバー１０５が撮像装置本体１０１の上面から見て時計回りに回転操作されると、撮影レンズがＴＥＬＥ側（画角が狭くなる方向（望遠側））にズーム動作が行われ、反時計回りに回転されると撮影レンズがワイド（画角が広がる方向（広角側））にズーム動作が行われる。撮像装置本体１０１の正面側から見てズームレバー１０５の右側には、電源ボタン１０６が配置されている。また、電源ボタン１０６の右隣りには、撮像装置本体１０１に内蔵したマイク（不図示）に音声を取り込むマイク穴１０７が設けられている。
【００１８】
撮像装置本体１０１の正面側から見てズームレバー１０５の左側には、モード設定ダイヤル１０８が配置されている。モード設定ダイヤル１０８の天面には、各種の撮影モードに応じた複数のマーク（不図示）が印刷又は刻印されており、各マークに指標を合わせることで、各マークに応じた撮影モードの設定が可能となる。撮影モードとしては、静止画撮影モードや動画撮影モ−ド、撮影画像再生モ−ド等があり、静止画撮影モードとして撮影シーンに応じた各種モード（オートモード、風景モード、ポートレートモード、スポーツモード、夜景モード等）が挙げられる。
【００１９】
撮像本体１０１の下面には、電池蓋（不図示）が配置されている。電池蓋は、電源となる主電池（一次電池、二次電池等）を収納する収納室と画像データを記憶する記憶媒体を収納する収納室とを同時に開閉する。本体１０１の側面には、電源用や信号入出力用のジャック（不図示）が設けられており、これらのジャックはジャックカバー（不図示）によって覆われて保護されている。
【００２０】
本体１０１の背面には、撮影中の被写体像の確認や撮影された画像の再生表示、デジタルカメラ１０１の各種設定を行うためのメニュー表示等を行う表示装置としての背面液晶表示部１２１を有する可動式の背面表示ユニット１２０が設けられている。背面表示ユニット１２０は、撮像装置本体１０１に密着した収納位置と図１（ａ）、（ｂ）に示した撮像装置本体１０１の正面側に背面液晶表示部１２１が向いた状態との間で遷移することができるように、回転軸Ａ回りに０〜１８０°の角度範囲で回転自在となっている。図１（ａ）、（ｂ）の状態では、撮影者が自身を背面液晶表示部１２１で確認しながら撮影を行う、所謂、自分撮りを容易に行うことができる。なお、背面液晶表示部１２１は、有機ＥＬ表示部等のその他の表示部であってもよい。
【００２１】
可動式の背面表示ユニット１２０が、撮像装置本体１０１に密着した収納位置から回転軸Ａ回りに回動していくと、ＥＶＦ１００が露出する。ＥＶＦ１００は、撮影レンズから入った光をＣＣＤやＣＭＯＳなどの撮像素子で捕らえて画像データに変換し、ファインダ内のＬＣＤパネルや有機ＥＬパネル等の画像表示面に表示する装置である。
【００２２】
ＥＶＦ１００は、撮像装置１０１から露出しており、レンズ保護窓２の周囲をリアカバー２０６に貼りつけられたアイピース２３で覆われている。アイピース２３は、撮影者がレンズ保護窓２を覗き込む際、外乱光の廻り込みや、撮影者の顔がレンズ保護窓２と直接的に接触しないよう設けられたカバー部材であり、撮像装置背面から突出して外観の一部を構成している。アイピース２３は、可動式の背面表示ユニット１２０が、リアカバー２０６に密着した収納状態にあるとき、背面表示ユニット１２０の凹部１２３に入り込んで密着する。これにより、背面表示ユニット１２０が、収納状態移行する時に、撮像装置本体１０１との衝突音を、アイピース２３のゴム材質で吸収することが出来る。
【００２３】
３は、視度調整ダイヤルで、撮像装置本体１０１の外側に突出している。これによって、撮影者はレンズ保護窓２を覗き込みながら、同時に視度調整ダイヤル３を操作することが可能となっている。
【００２４】
本体１０１の背面には、複数の操作ボタンからなる操作ボタン群１１０が設けられている。例えば、操作ボタン群１１０の中央に配置された十字ボタンは、上下左右４箇所と中央部１箇所に対して押し込み操作が可能となっており、所定箇所に撮影条件の変更や背面液晶表示部１２１の表示形態の変更、再生画面への切換え等を行う機能が割り当てられている。
【００２５】
図１（ｃ）は可動式の背面表示ユニット１２０がリアカバー２０６から１３５°回動した状態を示している。撮影者がレンズ保護窓２を覗き込む際、背面表示ユニット１２０が上方から廻り込んでくる外乱光に対して傘の役割を担い、外乱光の影響を受け難い、見やすいＥＶＦを搭載した撮像装置を提供することが出来る。
【００２６】
図２は撮像装置１０１の分解斜視図である。撮像装置１０１の本体部は、主たる構造体であるメインシャーシ２０１が、各ユニットを保持することで構成されている。メインシャーシ２０１は、中央に鏡筒ユニット１０２を不図示のビスを用いて保持し、鏡筒ユニット１０２を中心として、図中左側に電池ボックスユニット２０２、図中右側にストロボユニット１０３をそれぞれ保持している。電池ボックスユニット２０２は、メイン基板を抱えている。
【００２７】
ストロボユニット１０３の下側には、ＥＶＦユニット１００が配置され、鏡筒ユニット１０２の光軸と、ｙ方向が略同一に配置されている。これにより、撮像装置を縦にして撮影を行う、所謂、縦撮りの際に、正位置撮り（横撮り）からファインダを覗いた状態でスムーズに、撮影状態を移行することが可能となる。
【００２８】
メインシャーシ２０１は、背面側において、リアカバー２０６、背面表示ユニット１２０を不図示のビスによって締結されている。背面表示ユニット１２０のカバー１２２を外すと、背面表示ユニット１２０内の凹部に収納されて接着固定された磁場発生手段としてのマグネット１２４を有している。マグネット１２４は、背面表示ユニット１２０がリアカバー２０６に密着された状態から容易に回動しないように、撮像装置本体内部に配置されている不図示のマグネットに吸引される用途と、撮像装置本体１０１内に配置された磁気センサ（不図示）による位置検出の対象となって、背面表示ユニット１２０の回動状態を検出する用途を兼ねている。
【００２９】
磁気センサには、例えば、巨大磁気抵抗（Giant Magnet Resistance:ＧＭＲ）素子や半導体ホール素子が用いられる。本実施形態では、磁気センサにＧＭＲ素子を用い、ＧＭＲ素子が検出する磁気の値に閾値を設定し、マグネット１２４の位置によって変化する磁気の値に応じてＥＶＦ１００の近接センサのＯＮ／ＯＦＦを切り替えている。従来、ＥＶＦを搭載した撮像装置は、背面表示パネルとＥＶＦ表示パネルを近接センサによる自動切り替えモードに設定すると、撮影者がＥＶＦに近づくことによって、近接センサに近づいたことが判定され、背面表示パネルからＥＶＦ内の表示パネルに表示が切り替えるように設定されており、近接センサは常時可動している状態となっていた。
【００３０】
本実施形態によれば、背面表示ユニット１２０が回動した状態、つまり、ＥＶＦのレンズ保護窓２が外観に露出した場合のみ近接センサを可動すれば良い為、従来のＥＶＦを搭載した撮像装置に比べ省電力化に寄与することが出来る。
【００３１】
撮像装置１０１の上面側において、メインシャーシ２０１は、トップカバーユニット１０９を、そして底面側において、ボトムカバー２０５を不図示のビスを用いて締結されている。側面側は、サイドカバー２０４が、同様に、正面側に、フロントカバー２０３がメインシャーシ２０１に対してビス（不図示）を用いて締結されている。
【００３２】
図３（ａ）は本発明の実施形態に係るＥＶＦ１００の背面側斜視図である。１はＥＶＦベース部材であり、２はレンズ保護窓、３は視度調整ダイヤルである。ＥＶＦベース部材１は、撮像装置背面から突出して外観の一部を構成している。視度調整ダイヤル３は、ＥＶＦベース部材１よりも外側の位置で、撮像装置側面から突出するように保持されている。これによって、撮影者は保護窓２を覗き込みながら、同時に視度調整ダイヤル３を操作することが可能となっている。
【００３３】
図３（ｂ）は本発明の実施形態に係るＥＶＦ１００分解斜視図である。レンズホルダー４は、内部に設けられた空間にレンズを収納し、ＥＶＦベース部材１に対してビスで締結されて固定される。５は、同様にＥＶＦベース部材１にビスで締結される金属板から成る取り付けカバーである。この取り付けカバー５が撮像装置本体の図２で示したメインシャーシ２０１に固定されることで、保持されることになる。６は表示手段であり、本実施形態は、有機ＥＬパネルを採用しているが、若干大型にはなるもののＬＣＤパネルとしてもよい。
【００３４】
７は表示手段ホルダーである。８は、表示手段ホルダー７との間で表示手段を挟み込み、光軸方向において固定する放熱板である。本実施形態に示す放熱板８は、銅やアルミニウムなど比較的熱伝導率の高い金属板から成り、表示手段６を固定すると同時に、表示手段６の表面と密着して熱を拡散する役割も担っている。
【００３５】
９は、防塵筒であり、表示手段ホルダー７の上面に形成されている位置決めピンに対して、光軸方向と直交する方向、つまりｙ方向の上側から放熱板８と共に固定され、表示手段周囲からの微小な塵・埃等の遺物侵入を防ぐ役割を担っている。
【００３６】
１０は、光軸を挟んで対角となる位置で、それぞれ表示手段ホルダー７に対して圧入固定された金属製のシャフトである。このシャフト１０が、レンズホルダー４に設けられた嵌合孔を貫通し摺動することによって、表示手段ホルダー７を光軸方向と平行に案内する。
【００３７】
１１は第一のレンズであり、１２は第二のレンズ、１３は第三のレンズであり、光学レンズから形成される。１４は、遮光性を有するシート部材と両面テープとが貼り合わされて構成されたマスク部材であり、第一のレンズ１１の光学的に有効な範囲に、有害な外光や反射光が入射するのを防ぐためのものである。１５は、第一のレンズ１１と第二のレンズ１２との間に挟まれて、二つのレンズ間の距離を精度良く維持するスペーサーである。
【００３８】
第二のレンズ１２とスペーサー１５と第一のレンズ１１とは、レンズホルダー４の内部空間に対して被写体側から順に挿入され、それぞれの外形でレンズホルダー４の内壁と嵌合される。その後マスク部材１４が、これらの蓋としてレンズホルダー４に対して貼り付けられ、第二のレンズ１２とスペーサー１５と第一のレンズ１１とは、光軸方向に抜け止めされる。一方、第三のレンズ１３は、レンズホルダー４の内部空間に撮影者側から挿入されて、他のレンズと同様にその外形で嵌合される。そして、レンズホルダー４がベース部材１にビスで締結され、その間に挟持されることで、第三のレンズ１３は光軸方向の位置が決められる。
【００３９】
１６は、シャフト１０の撮影者側の先端に圧入固定され、シャフト１０と一体的に移動するキャップ部材である。１７は、レンズホルダー４に設けられた空間の内部に挿入され、キャップ部材１６とＥＶＦベース部材１との間で圧縮されるコイルバネである。本実施形態では、表示手段ホルダー７をガタつくことなく円滑に移動させるため、コイルバネ１７の弾性力を用いて、表示手段ホルダー７を常に被写体側に付勢している。
【００４０】
１８は、摺動軸部を有する段付きビスであり、ＥＶＦベース部材１に対して締結される。これにより視度調整ダイヤル３は、図１（ａ）に示す状態で回転自在に保持される。１９は金属製のボール、２０はボール１９を付勢するコイルバネである。コイルバネ２０とボール１９とは、ＥＶＦベース部材１側面に設けられた穴部に対してｘ方向に、外側からそれぞれ順に挿入される。ここで視度調整ダイヤル３には不図示の凹凸形状が設けられており、ボール１９と凹凸形状とが係合することで、ダイヤル３を任意の角度で離散的に停止させることができる。
【００４１】
２１は視度調整ダイヤル３の回転動作と表示手段ホルダー７の直進動作とを連動させるレバーであり、２２はレバー２１を取り付けカバー５との間で挟持するレバーホルダーである。撮影者が視度調整ダイヤル３を操作するとレバー２１が揺動し、表示手段ホルダー７を光軸方向に移動させる。
【００４２】
ＥＶＦ１００には、近視や遠視や老眼の撮影者であっても裸眼で撮像のピントを合わせやすいように、視度調整機構が備えられているのが一般的である。従来こうした視度調整の多くは、レンズホルダーを光軸方向に移動させることで行われてきた。
【００４３】
しかしながら、本実施形態は、スペースの効率化を図るため、より占有スペースの少ない表示手段ホルダー７を移動させる構成となっている。つまり、体積の大きなレンズ群は固定したまま、比較的体積の小さな表示側を移動させることで、レンズ群との距離を変動させ、視度を任意に調整するものである。尚、本実施形態における視度は、＋プラス側の端から、−側の端までの範囲で調整が可能なように設定されている。
【００４４】
図４（ａ）はＥＶＦ１００の背面図であり、図４（ｂ）から（ｄ）までに示す図は、それぞれ三箇所の断面図であり、視度がもっともプラス側に調整された場合の＋側の端における断面図である。図４（ｂ）はＳ１−Ｓ１断面図であり、また図４（ｃ）は、Ｓ２−Ｓ２断面図、同様に図４（ｄ）はＳ３−Ｓ３断面図である。
【００４５】
図４（ｂ）及び図４（ｃ）に示すように、防塵筒９は表示手段６と第一のレンズ１１との間に配置され、表示手段ホルダー７に保持され、撮影者側に配置されたマスク部材１４に対してそれぞれ密着している。こうすることによって表示手段６周囲に塵・埃等の異物が進入することがない、いわゆる防塵構造を実現している。
【００４６】
ここで、第一のレンズ１１とスペーサー１５と第二のレンズ１２とは、マスク部材１４によって光軸方向に抜け止め固定されている。一般的に、これらの構成部品にガタつきが生じると、光学的な性能が劣化してしまう為、光学レンズ間の距離に要求される精度は非常に高くなっている。
【００４７】
図４（ｃ）においてコイルバネ１７は、レンズホルダー４に設けられた空間内に挿入され、ＥＶＦベース部材１とキャップ部材１６との間で圧縮した状態となっている。コイルバネ１７の弾性力は、キャップ部材１６とシャフト１０とを介して、表示手段ホルダー７を常に被写体側へ付勢している。
【００４８】
図４（ｄ）に示す３ａは、視度調整ダイヤル３に設けられた駆動ピンであり、７ａは、表示手段ホルダー７の側面に設けられたフォロワピンである。また２２ａは、レバーホルダー２２に設けられ、レバー２１を回転自在に保持する回動軸である。レバー２１は回動軸２２ａを回転中心として揺動し、一方の端が駆動ピン３ａと、他方の端がフォロワピン７ａとそれぞれ摺動自在に嵌合することで、視度調整ダイヤル３と表示手段ホルダー７とを連動させている。視度が＋側から−側に変更されることで、駆動ピン３ａがｙ方向の下側に移動する。これによって、レバー２１は時計回りに揺動しており、表示手段ホルダー７のフォロワピン７ａは、キャップ部材１６がコイルバネ１７の付勢力に抗い、撮影者側に押し込まれ移動する構成となっている。
【００４９】
以上、本発明をその好適な実施形態に基づいて詳述してきたが、本発明はこれら特定の実施形態に限られるものではなく、この発明の要旨を逸脱しない範囲の様々な形態も本発明に含まれる。例えば、上記実施形態では、ＥＶＦ１００をコンパクトタイプのデジタルカメラに適用したが、これに限られるものではない。例えば、本実施形態に係るＥＶＦ１００の構造は、デジタル一眼レフカメラ、デジタルビデオカメラ等の他の撮像装置や携帯情報端末等の他の電子機器に適用することができる。
【符号の説明】
【００５０】
１  ＥＶＦベース部材、２  レンズ保護窓、３  視度調整ダイヤル、
４  レンズホルダー、５  取り付けカバー、６  表示手段、７  表示手段ホルダー、
８  放熱板金、９  防塵筒、１０  シャフト、１１  第一のレンズ、
１２  第二のレンズ、１３  第三のレンズ、１４  マスク部材、１５  スペーサー、
１６  キャップ部材、１７  コイルバネ、１８  段付きビス、１９  ボール、
２０  コイルバネ、２１  レバー、２２  レバーホルダー
【図１（ａ）】
2017003630.tif 000003
【図１（ｂ）】
2017003630.tif 000004
【図１（ｃ）】
2017003630.tif 000005
【図２】
2017003630.tif 000006
【図３（ａ）】
2017003630.tif 000007
【図３（ｂ）】
2017003630.tif 000008
【図４（ａ）】
2017003630.tif 000009
【図４（ｂ）】
2017003630.tif 000010
【図４（ｃ）】
2017003630.tif 000011
【図４（ｄ）】
2017003630.tif 000012